(57)【特許請求の範囲】
【請求項１】
液貯留タンク内の塗布液を塗布部まで誘導する誘導芯と、この誘導芯の外周部に複数の櫛歯体を上記誘導芯軸方向に間隙をおいて配置した一時塗布液溜め部材とを有する塗布具において、
上記液貯留タンク内の圧力変化に応じた量の塗布液を上記櫛歯体の間の溝部に流入・排出させるための空気置換溝を、上記各櫛歯体の外縁部と誘導芯接触部との間にわたり複数形成しているとともに、
上記液貯留タンク内の塗布液を毛細管現象によって保留させる間隙を保持して、上記一時塗布液溜め部材の液貯留タンクに臨む後端面に、塗布液保留用板を対向させて配置したことを特徴とする塗布具。
【請求項２】
空気置換溝は、誘導芯の軸心を通る直径線上に形成されていることを特徴とする請求項１に記載の塗布具。
【発明の詳細な説明】
【０００１】
【発明の属する技術分野】
本発明は、例えば油性インキ，修正液若しくは化粧料等の塗布液を使用する、マーカーペン，修正ペン若しくはメーキャップ用具等を含む塗布具に関する。
【０００２】
【従来の技術】
従来、所謂マーカーペン等の筆記具としては、例えば軸筒内に形成されたインキタンク内のインキをペン先まで誘導する誘導芯と、円板形にした複数の櫛歯体を誘導芯軸方向に間隙をおいて形成した一時インキ溜め部材とを有するものが知られている。
【０００３】
上記各櫛歯体には、インキタンク内のインキを、上記一時インキ溜め部材に誘導するための単一のセンタースリットが、誘導芯を中心とした両側に形成されており、そのセンタースリットを介して、インキタンクの空間部の内圧上昇時に、そのインキタンクから流出するインキを一時インキ溜め部材に溜めるようにしている。
【０００４】
【発明が解決しようとする課題】
ところで、インキタンク内の圧力が急激に上昇するときには、インキタンク内のインキが一時インキ溜め部材に流入するとともに、誘導芯にも流入する。
【０００５】
しかし、上記従来の筆記具では、櫛歯体にセンタースリットが形成されてはいるものの、そのセンタースリットの内端が誘導芯に接触するようには形成されていないので、誘導芯に流入した余剰のインキを、一時インキ溜め部材に吸収させることができない。
【０００６】
すなわち、インキタンクから流出したインキを、一時インキ溜め部材に速やかに溜めることができず、誘導芯に流入した余剰のインキがペン先から垂れ落ちやすいという欠点があった。
【０００７】
そこで本発明は、液貯留タンク内の急激な圧力変化によって流出した塗布液を速やかに一時塗布液溜め部材に貯溜させることができ、また、塗布部からの塗布液の垂れを防止できる塗布具の提供を目的としている。
【０００８】
【課題を解決するための手段】
前記目的を達成するため、本発明は次の構成を有する。
すなわち本発明に係る塗布具は、液貯留タンク内の塗布液を塗布部まで誘導する誘導芯と、この誘導芯の外周部に複数の櫛歯体を上記誘導芯軸方向に間隙をおいて配置した一時塗布液溜め部材とを有するものであり、上記液貯留タンク内の圧力変化に応じた量の塗布液を上記櫛歯体の間の溝部に流入・排出させるための空気置換溝を、上記各櫛歯体の外縁部と誘導芯接触部との間にわたり複数形成しているとともに、上記液貯留タンク内の塗布液を毛細管現象によって保留させる間隙を保持して、上記一時塗布液溜め部材の液貯留タンクに臨む後端面に、塗布液保留用板を対向させて配置したことを特徴としている。
【０００９】
この構成によれば、液貯留タンク内の圧力が急激に上昇すると、その液貯留タンク内の塗布液は、一時塗布液溜め部材の各空気置換溝を通じ、また、誘導芯に流入した余剰の塗布液は各空気置換溝の誘導芯接触部を介して、一時塗布液溜め部材に速やかに溜めることができる。
また、上記液貯留タンク内の塗布液を毛細管現象によって保留させる間隙を保持して、上記一時塗布液溜め部材の液貯留タンクに臨む後端面に、塗布液保留用板を対向させて配置することにより、その一時塗布液溜め部材の後端面と塗布液保留用板との間に塗布液を保留させられる。
【００１０】
上記において、空気置換溝を、誘導芯の軸心を通る直径線上に形成した構成にすると、一時塗布液溜め部材を成型する上で好適である。
【００１１】
【発明の実施の形態】
本発明の実施の形態について、図面を参照して説明する。図１は本発明塗布具の一実施形態に係る筆記具全体の断面図、図２は図１に示す包囲線Ｉで示す部分の拡大図、図３は、図２に示すＩＩ−ＩＩ線に沿う断面図、図４は、図２に示すＩＩＩ‐ＩＩＩ線に沿う断面図である。
【００１２】
本発明塗布具の一実施形態である筆記具Ａは、ユーザーが筆記時に軸筒１外周面を握り、塗布部の一例である筆記部２の誘導芯を兼ねるペン芯３の前端をシート面等の対象面（図示しない）上で滑らせることにより、そのペン芯３から対象面に生インキ等の塗布液ｉを供給・塗布して筆記するものであり、次のような構成になっている。
【００１３】
軸筒１は、前端に開口部１ａを形成し、かつ、後端を閉鎖した略円筒体であり、その開口部１ａの至近位置の内壁面１ｂには、詳細を後述する筆記部２を位置決め固定するための嵌合溝部１ｃが、また、これよりも後側には一時塗布液溜め部材４を位置決め固定するための嵌合溝部１ｄがそれぞれ全周にわたり形成されている。
【００１４】
筆記部２は、ホルダー５，上記ペン芯３及び上記一時塗布液溜め部材４からなるものであり、その筆記部２を軸筒１の開口部１ａに嵌合固定することにより、その筆記部２よりも後端側の軸筒１の内部空間に、上記塗布液ｉを収容する液貯留タンク６を区画形成するようになっている。
なお、塗布液ｉとしては、上記生インキの他、修正液や化粧料であって適用することができる。
【００１５】
ホルダー５は、前端及び後端を開口した円筒形のペン芯嵌挿部５ａの後端部に、上記軸筒１の嵌合溝部１ｃに密着嵌合する外径にした円形の嵌合板５ｂと、この嵌合板５ｂの後側にやや離間して形成した円形の区画板５ｃとを一体に成形してなるものである。
【００１６】
なお、５ｄは、一時塗布液溜め部材４の後述する櫛歯体４ａ、…、厚板体４ｂの空気置換溝であるセンタースリット４ｆ，４ｆ、…、４ｆ′，４ｆ′に連通してスムーズな空気置換機能を行なわせるための通気孔である。
【００１７】
ペン芯３は例えば繊維束芯，樹脂成形芯又は多孔質成形芯等からなるものであり、それは、前端部にペン先３ａが先細にして、また、後端部に円柱形の小径部３ｂを形成した細長い略円柱形に成形されている。
【００１８】
一時塗布液溜め部材（コレクター）４は、円板形の複数の櫛歯体４ａ…，同じく円板形で厚みのある厚板体４ｂを、ペン芯軸方向（軸筒１及び当該一時塗布液溜め部材４の軸方向でもある）に互いに所要の間隙をおいて積重形成してなる所謂断面櫛歯形の成形体であり、また、これの後端面に、断面円弧形の連結部材４ｃ，４ｃを介して塗布液保留用板４ｄが一体に成形されている。
【００１９】
上記各櫛歯体４ａ…には、図３に示すように、ペン芯３の軸心Ｏを通る直径線上であって、外縁部４ａ′と誘導芯接触部４ａ″との間にわたりセンタースリット４ｆ，４ｆが形成されている。換言すると、ペン芯３を嵌挿する断面円形の嵌挿孔４ｅの両側に、２つのセンタースリット４ｆ，４ｆが形成されている。
すなわち、上記センタースリット４ｆ，４ｆを介して、液貯留タンク６内の圧力変化に応じた量の塗布液ｉを、前記櫛歯体４ａ…間の溝部４ｇ…に流入・排出させることにより、塗布液ｉの一時溜め機能を発揮できるようにしている。
【００２０】
厚板体４ｂには、図４に示すように、２つのセンタースリット４ｆ′，４ｆ′が、外縁部４ｂ′から誘導芯接触部４ｂ″近傍にいたる部分に形成されている。すなわち、厚板体４ｂのセンタースリット４ｆ′，４ｆ′は、櫛歯体４ａのセンタースリット４ｆ，４ｆとは異なり、外縁部４ｂ′と誘導芯接触部４ｂ″との間にわたり形成されてはいないものである。
【００２１】
塗布液保留用板４ｄは、厚板体４ｂの後端面４′との間に、上記液貯留タンク６内の塗布液ｉを毛細管現象によって保留させられる間隙αを保持して対向配置されている。
【００２２】
換言すると、一時塗布液溜め部材４の最も液貯留タンク６側に配置された厚板体４ｂの後端面４′と、これに対向する塗布液保留用板４ｄの側面との間に形成された間隙α内に、塗布液ｉが保留されるようにしている。
【００２３】
連結部材４ｃ，４ｃと厚板体４ｂとの連結部分には、ペン芯３の小径部３ｂとの境に形成された段差面３ｃに当接させるための段差部４ｈが内方に突出して形成されており、その段差部４ｈにペン芯３の段差面３ｃを当接させることにより、ペン芯３のペン先３ａがペン芯嵌挿部５ａの前方に突出し、かつ、当該ペン芯３の小径部３ｂが塗布液保留用板４ｄの後方に突出した状態で位置決め固定されるようになっている。
【００２４】
上述したペン芯３及び一時塗布液溜め部材４をホルダー５に組みつけてなる塗布部２を、前記開口部１ａから軸筒１内に挿入すると、ホルダー５の嵌合板５ｂが嵌合溝部１ｃに嵌合して位置決め固定されるとともに、一時塗布液溜め部材４は、これの最も液貯留タンク６側に配置された厚板体４ｂが、軸筒１内の嵌合溝部１ｄに嵌合して位置決め固定される。
【００２５】
上記構成を有する本発明の一実施形態に係る筆記具Ａの作用は、次の通りである。
液貯留タンク６の圧力が急激に上昇すると、塗布液ｉは一時塗布液溜め部材４のセンタースリット４ｂ，４ｂ、…を通じ、また、ペン芯３の外周部に接触しているセンタースリットの誘導芯接触部４ｂ″を介して、そのペン芯３に流入した余剰の塗布液ｉが一時塗布液溜め部材４の櫛歯体４ａ，４ａ、…間の溝部４ｇ…に一時的に溜められる。
これにより、たとえ液貯留タンク６内の圧力が急激に上昇するときにも、液貯留タンク６から流出した塗布液ｉを速やかに一時塗布液溜め部材４に一時的に溜めておくことができる。これにより、ペン先３ａから塗布液が垂れるという現象を防止できる。
【００２６】
また、液貯留タンク６内の圧力が低下すると、その低下に伴って、櫛歯体４ａ，４ａ、…間の溝部４ｇ…に一時的に溜められていた塗布液は、センタースリット４ｂ，４ｂ、…を通じて液貯留タンク６に返戻される。
【００２７】
ところで、液貯留タンク６内の塗布液残量がある限度を下回った状態で、筆記具Ａをほぼ水平姿勢にすると、一時塗布液溜め部材４に臨む厚板体４ｂに形成したセンタースリット４ｂ，４ｂのうち、一方のものだけが塗布液ｉに浸されることになるが、本発明筆記具Ａでは、塗布液保留用板４ｄと厚板体４ｂとの間隙αに、液貯留タンク６内の塗布液ｉが毛細管現象によって吸い上げられる。
【００２８】
これにより、塗布液保留用板４ｄと一時塗布液溜め部材４の厚板体４ｂの両対向側面間に塗布液ｉが保留された状態になって、その厚板体４ｂのセンタースリット４ｆ′，４ｆ′の双方が塗布液ｉによって浸された（被覆された）状態になる。
【００２９】
従って、塗布液ｉに浸されていないセンタースリット４ｆを介しての空気の循環を生じさせないので、塗布具Ａをほぼ水平姿勢にしたときにも、液貯留タンク６内の塗布ｉが一時塗布液溜め部材４に流入することがない。
【００３０】
また、液貯留タンク６内の塗布液ｉがペン芯３に接触しない場合にも、一時塗布液溜め部材４（厚板体４ｂ）と塗布液保留用板４ｄとの間に保留されている塗布液ｉが、図４に示すように、連結部材４ｃ，４ｃの間に形成された塗布液補給口４ｃ′，４ｃ′からペン芯３に継続して補給される。
従って、液貯留タンク６内に塗布液ｉが残存している限り、一時塗布液溜め部材４の厚板体４ｂと塗布液保留用板４ｄとの間隙αには、毛細管現象による塗布液の供給（吸い上げ）が継続して行なわれることになり、液貯留タンク６内の塗布液ｉが無くなるまで、塗布時の掠れ等を生じさせない。
【００３１】
本発明は前述した実施形態に限るものではなく、次のような変形実施が可能である。
上記の実施形態においては、一時塗布液溜め部材に２つのセンタースリットを誘導芯の軸心を通る直径線上に形成したものを例として説明したが、必ずしも直径線上に形成する必要はない。また、３つ以上のセンタースリットを形成した構成にしてもよいことは勿論である。
【００３２】
また、上記の実施形態においては、一時塗布液溜め部材として、複数の櫛歯体を前記ペン芯軸方向に互いに間隙を配置した断面櫛歯形の成形体からなるものを例として説明したが、複数の枚葉体をペン芯軸方向に互いに間隙をおいて配置してなる所謂枚葉体形のものを採用することもできる。
【００３３】
さらに、インキを塗布液とした筆記具を塗布具の一実施形態として説明したが、これに限るものではなく、例えば化粧料，修正液等を塗布液としたものであっても適用することができる。
【００３４】
【発明の効果】
請求項１，２に記載した発明によれば、次の効果を得ることができる。
液貯留タンク内の圧力変化に応じた量の塗布液を櫛歯体の間の溝部に流入・排出させるための空気置換溝を、それら各櫛歯体の外縁部と誘導芯接触部との間にわたり複数形成しているので、上記液貯留タンク内の塗布液を空気置換溝を通じて一時塗布液溜め部材に一時的に溜めることができるとともに、誘導芯に含まれる余剰の塗布液を空気置換溝の誘導芯接触部を介して一時塗布液溜め部材に溜めることができる。
従って、液貯留タンク内の急激な圧力変化によって流出した塗布液を速やかに一時塗布液溜め部材に貯溜させることができ、塗布部からの塗布液の垂れを防止することができる。
空気置換溝を、誘導芯の軸心を通る直径線上に形成した構成にしているので、一時塗布液溜め部材を容易に成型することができる。
【００３５】
請求項１，２に記載した発明で得られる共通の効果に加え、請求項２に記載の発明によれば次の各効果を得ることができる。
請求項２に記載した発明によれば、一時塗布液溜め部材の後端面と塗布液保留用板との間に塗布液を保留させられるので、その液貯留タンク内の塗布液残量に拘わらず、空気置換溝を塗布液により浸して閉塞することができる。従って、塗布液に浸されていない空気置換溝を介しての空気の循環を生じないので、一時塗布液溜め部材に塗布液が流入することがない。
【００３６】
また、一時塗布液溜め部材の後端面と塗布液保留用板との間に塗布液を吸い上げて保留させておけるので、液貯留タンク内の塗布液残量がわずかであっても、一時塗布液溜め部材への塗布液の誘導を円滑に行なうことができる。
【図面の簡単な説明】
【図１】本発明塗布具の一実施形態に係る筆記具全体の断面図である。
【図２】図１に示す包囲線Ｉで示す部分の拡大図である。
【図３】図２に示すＩＩ−ＩＩ線に沿う断面図である。
【図４】図２に示すＩＩＩ‐ＩＩＩ線に沿う断面図である
【符号の説明】
２          塗布部の一例である筆記部
３          誘導芯を兼ねるペン芯
４          一時塗布液溜め部材
４ａ        櫛歯体
４ａ′      外縁部
４ａ″      誘導芯接触部
４ｄ        塗布液保留用板
４ｆ        空気置換溝であるセンタースリット
４ｇ        溝部
５          ホルダー
５ｄ        塗布液補給口
６          液貯留タンク
Ａ          塗布具の一実施形態である筆記具
ｉ          インキ等の塗布液
Ｏ          軸心
【図１】
0003579036.tif 000002
【図２】
0003579036.tif 000003
【図３】
0003579036.tif 000004
【図４】
0003579036.tif 000005